(57)【特許請求の範囲】
【請求項１】
スライダの転がり溝に応じて配設されて、転がり体が転がり可能なスライダ用鋼線保持具において、
前記スライダの内壁面には、前記転がり溝が設けてあり、前記スライダの両端には、エンドプレートがそれぞれ設けてあり、
前記エンドプレートには、前記スライダの前記転がり溝に対応するエンドプレート係り溝が設けてあり、
前記係り溝は、前記スライダの転がり溝の軸線に沿って端面まで伸びて端面で係合段が形成され、
前記鋼線保持具は、前記エンドプレートの前記エンドプレート係り溝に対応するように鋼線で略長方形の枠体状に形成され、
前記鋼線保持具は、前記転がり体を支持可能な小幅に形成した２つの規制部と、
前記規制部の両側に形成した保持部と、
前記保持部の端部を屈曲して形成した前記エンドプレートの前記係合段に対応するフックとを具備し、
前記２つの規制部には相対向する内側へ鋼線を接近させて強化用湾折を形成し、
前記フックが前記エンドプレートの前記係合段に係合することにより鋼線保持具が位置決められ、且つ前記２つの規制部が転がり溝に合せて転がり通路を構成することを特徴とする、
スライダ用鋼線保持具。
【請求項２】
前記エンドプレートは、その係り溝の間に円弧形状なテーパ端面を持つテーパ・ブロックが凸設してあることを特徴とする、請求項１に記載のスライダ用鋼線保持具。
【請求項３】
前記エンドプレートは、分解・組付のときに作業者が指を挿入可能にするために、係り溝の係合段の近傍にはテーパ溝が開設してあることを特徴とする、請求項１又は２に記載のスライダ用鋼線保持具。
【請求項４】
前記転がり体は、ボール又はローラーであることを特徴とする、請求項１又は２に記載のスライダ用鋼線保持具。
【発明の詳細な説明】
【技術分野】
【０００１】
本発明は、リニアガイドウェーのスライダの内部に適用される鋼線保持具に関するものである。
【背景技術】
【０００２】
目下、リニアガイドウェーのスライダの内部に適用される保持具は、金属板形態と、樹脂嵌めプレート形態とに分けられる。以下、金属板形態と樹脂嵌めプレート形態の構造を対比して詳細に説明する。
【０００３】
（金属板形態）
図１は米国特許US 4,253,709号のものの組合状態の透視図であり、図２は米国特許US 4,749,284号のものの組合状態の断面図である。これらは、スライダとレールの間に金属保持板が配設してあり、金属保持板がプレス加工および湾折成形加工によって成形されたものである。
【０００４】
米国特許US 4,253,709号の金属保持板１２は、一つの金属保持板１２に複数のボール転がり溝１４が設けてあり、ネジ１４１によりスライダ１０の内壁面に締付られ、且つ金属保持板１２はレール１１に衝突しないように設けられる。
【０００５】
しかしながら、これは次のような欠点があった。
（イ）前記金属保持板１２は、プレス加工および湾折成形加工によって成形されたものであるので、製造コストは高い。
【０００６】
（ロ）金属保持板１２がネジ１４１によりスライダ１０の内壁面に締付られるので、スライダには螺旋穴を開設することが必要であり、且つ組付工数も必要であり、製造コストは高くなる。
【０００７】
（ハ）複数のボール転がり溝１４にボール１４２を入れて調整するために、作業者は、金属保持板１２の締付・分解作業を複数回に重複することが必要であるので、組付工数は増加する。
【０００８】
（ニ）ニリアガイドウェーが使用される際に、ボール１４２が金属保持板１２に衝突し易いので、大きな騒音が発生する。
【０００９】
また、米国特許US 4,749,284号は上記欠点を解決するためになされた発明であり、それは、各ボール転がり溝１４に応じて複数本の金属保持板１５を嵌め方式によってスライダ１０に固定し、前記金属保持板１５によりボール１４２が規制されてレール１１に当接する。
【００１０】
しかしながら、これは次のような欠点があった。
（イ）前記金属保持板１５は、プレス加工および湾折成形加工によって成形されたものであり、点数が多くて、嵌め部位の成形角度はプレス加工にとって難しいので、製造コストはもっと高くなる。
【００１１】
（ロ）ニリアガイドウェーが使用される際に、ボール１４２が金属保持板１２に衝突し易いので、大きな騒音が発生する。
【００１２】
（樹脂嵌めプレート形態）
樹脂嵌めプレート形態の製品は、騒音問題および製作コスト問題を解決するためになされた発明である。図３に示すように、スライダ１６とエンドプレート１７の組付け過程中に、若干の樹脂嵌めプレート１８が配設され、前記樹脂嵌めプレート１８によりボールがボール転がり溝から脱出しなくなり、この形態によれば、加工（射出成形）の複雑度が低減になり、且つ騒音問題も解決されたが、これは次のような欠点があった。
【００１３】
（イ）樹脂嵌めプレート１８の支持力がより小さいので、スライダ１６とエンドプレート１７とに合せないと支持力は向上できないが、そうすると、樹脂嵌めプレート１８の締付・分解作業を複数回に重複することが必要であるので、組付工数は増加する。
【００１４】
（ロ）射出成形された樹脂嵌めプレート１８は、温度異常または腐食環境などの原因で変質・変形し易いので、変質・変形すたとボールの転がりは不順調になる。
【発明の開示】
【発明が解決しようとする課題】
【００１５】
本発明の主な目的は、部材が簡単で、製造コストが低いスライダ用鋼線保持具を提供する。
【００１６】
本発明の次の目的は、運転が順調になり、強度が充分であり、各寸法のスライダにも適用可能であるスライダ用鋼線保持具を提供する。
【課題を解決するための手段】
【００１７】
上記目的を達成するためになされた本願の発明は、スライダの転がり溝に応じて配設されて、転がり体が転がり可能なスライダ用鋼線保持具において、スライダの転がり溝に応じて配設されて、転がり体が転がり可能なスライダ用鋼線保持具において、前記スライダの内壁面には、前記転がり溝が設けてあり、前記スライダの両端には、エンドプレートがそれぞれ設けてあり、 前記エンドプレートには、前記スライダの前記転がり溝に対応するエンドプレート係り溝が設けてあり、前記係り溝は、前記スライダの転がり溝の軸線に沿って端面まで伸びて端面で係合段が形成され、前記鋼線保持具は、前記エンドプレートの前記エンドプレート係り溝に対応するように鋼線で略長方形の枠体状に形成され、前記鋼線保持具は、前記転がり体を支持可能な小幅に形成した２つの規制部と、前記規制部の両側に形成した保持部と、前記保持部の端部を屈曲して形成した前記エンドプレートの前記係合段に対応するフックとを具備し、前記２つの規制部には相対向する内側へ鋼線を接近させて強化用湾折を形成し、前記フックが前記エンドプレートの前記係合段に係合することにより鋼線保持具が位置決められ、且つ前記２つの規制部が転がり溝に合せて転がり通路を構成することを特徴とするスライダ用鋼線保持具であることを要旨としている。
【００１９】
本願の発明では、前記エンドプレートは、その係り溝の間に円弧形状なテーパ端面を持つテーパ・ブロックが凸設してあることを特徴とする請求項１に記載のスライダ用鋼線保持具であることを要旨としている。
【００２０】
本願の発明では、前記エンドプレートは、分解・組付のときに作業者が指を挿入可能にするために、係り溝の係合段の近傍にはテーパ溝が開設してあることを特徴とする請求項１又は２に記載のスライダ用鋼線保持具であることを要旨としている。
【００２１】
本願の発明では、前記転がり体は、ボール又はローラーであることを特徴とする請求項１又は２に記載のスライダ用鋼線保持具であることを要旨としている。
【発明の効果】
【００２２】
本発明に係るスライダ用鋼線保持具によれば、部材が簡単で、製造コストが低く、運転が順調になり、強度が充分であり、各寸法のスライダにも適用可能である。
【発明を実施するための最良の形態】
【００２３】
以下、添付図面を参照して本発明の好適な実施の形態を詳細に説明する。
【００２４】
まず、図４乃至図７を参照する。本発明に係るスライダ用鋼線保持具は、一つのスライダ２０と、二つのエンドプレート３０と、四つの鋼線保持具４０とを含む。
【００２５】
前記スライダ２０は、その内壁面ではボール２１が転がり可能な転がり溝２２が四つ設けてあり、
【００２６】
前記エンドプレート３０は、前記スライダ２０の両端に設けられ、スライダ２０の四つの転がり溝２２に応じて係り溝３１が四つ設けてあり、前記係り溝３１は、前記スライダ２０の転がり溝２２の軸線に沿って端面まで伸びて端面で係合段３１１が形成され、前記係り溝３１の間に円弧形状なテーパ端面３２１を持つテーパ・ブロック３２が凸設してあり、分解・組付のときに作業者が指を挿入可能にするために、係り溝３１の係合段３１１の近傍にはテーパ溝３１２が開設してある。
【００２７】
前記鋼線保持具４０は、同じ直径の鋼線で作製された枠体であり、その形状が前記エンドプレート３０の各エンドプレート係り溝３１に対応し、その中段に規制部４１が設けてあり、その両側に保持部４２が設けてあり、前記保持部４２の端部にはエンドプレート３０の係合段３１１に対応するフック４２１が設けてあり、前記規制部４１には対称する強化用湾折４３が湾折され、前記鋼線保持具４０は、エンドプレート３０のエンドプレート係り溝３１内に嵌められ、且つ前記フック４２１をエンドプレート３０の係合段３１１に係止することにより位置決められる。
【００２８】
次に、図８と図９を参照して各部材およびその動作変化を詳細に説明する、
本発明に係る四つの鋼線保持具４０の形状がエンドプレート３０の各エンドプレート係り溝３１に対応するので、エンドプレート係り溝３１のテーパ・ブロック３２により、鋼線保持具４０のフック４２１が容易に変形してテーパ・ブロック３２のテーパ端面３２１を通過することができ、そうすると、鋼線保持具４０は、エンドプレート３０のエンドプレート係り溝３１内に嵌められ、且つ前記フック４２１をエンドプレート３０の係合段３１１に係止することにより位置決められ、だから、各鋼線保持具４０の規制部４１がスライダ２０の転がり溝２２に対応してボール転がり通路を構成し、前記ボール転がり通路によりボール２１は脱出しなくなる。
【００２９】
特に、本発明に係る規制部４１では内側へ対称に湾折された強化用湾折４３が成形され、各鋼線保持具４０の規制部４１がスライダ２０の転がり溝２２に対応してボール転がり通路を構成し、前記強化用湾折４３により鋼線保持具４０の変形が低減されるので、本発明に係る鋼線保持具４０は各寸法のスライダに適用可能になり、ボール転がり通路が長すぎて鋼線保持具４０が変形してボールの運行順調性を降下することを回避でき、だから、前記強化用湾折４３のユニックな設計により、ボール２１は、ボール転がり通路から脱出しなくなり、互いに干渉しなくなり、安定に運行可能になる。
【００３０】
最後に、鋼線保持具４０の鋼線直径と長さの関係は、製品の撓み度を影響して、鋼線保持具４０のボール保持力を低減するので、図９と図１０示すように、本発明に係る強化用湾折４３の合理値は下記の数式で求められる。
【００３１】
Ｌは鋼線保持具４０の鋼線働きの長さであり、
Ｌ１は鋼線保持具４０の強化用湾折４３の窪み部分の長さであり、
０≦Ｌ１≦Ｌであり、
Ａはボール２１の直径であり、
Ｂは鋼線保持具４０の小幅部の幅であり、
０≦Ｂ＜Ａであり、
また、好適な条件は、４Ａ＜（Ｌ-Ｌ１）＜８Ａであり、
更に、別の好適な条件は、0.75Ａ＜Ｂ＜0.85Ａである。
【００３２】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよいことがわかる。
【図面の簡単な説明】
【００３３】
【図１】米国特許US 4,253,709号のものの組合状態の透視図である。
【図２】米国特許US 4,749,284号のものの組合状態の断面図である。
【図３】別の従来のものの分解斜視図である。
【図４】本発明に係る鋼線保持具の斜視図である。
【図５】本発明に係るスライダの組合状態を示す斜視図である。
【図６】本発明に係るスライダの分解斜視図である。
【図７】本発明に係るスライダの好適な分解方式を示す斜視概略図である。
【図８】本発明に係るスライダの好適な組付方式を示す斜視概略図である。
【図９】本発明に係るエンドプレートと鋼線保持具との寸法の説明図である。
【図１０】本発明に係るボールと鋼線保持具との寸法の説明図である。
【符号の説明】
【００３４】
１０      スライダ                  １１      レール
１４      金属保持板                １４      ボール転がり溝
１４１    ネジ                      １４２    ボール
１５      金属保持板                １６      スライダ
１７      エンドプレート            １８      樹脂嵌めプレート
２０      スライダ                  ２１      ボール
２２      転がり溝                  ３０      エンドプレート
３１      エンドプレート係り溝      ３１１    係合段
３１２    テーパ溝                  ３２      テーパ・ブロック
３２１    テーパ端面                ４０      鋼線保持具
４１      規制部                    ４２      保持部
４２１    フック                    ４３      強化用湾折
Ｌ        鋼線保持具の鋼線働き長さ
Ｌ１      鋼線保持具の強化用湾折の窪み部分の長さ
Ａ        ボール直径
Ｂ        鋼線保持具の小幅部の幅
【図１】
0004431544.tif 000002
【図２】
0004431544.tif 000003
【図３】
0004431544.tif 000004
【図４】
0004431544.tif 000005
【図５】
0004431544.tif 000006
【図６】
0004431544.tif 000007
【図７】
0004431544.tif 000008
【図８】
0004431544.tif 000009
【図９】
0004431544.tif 000010
【図１０】
0004431544.tif 000011